(57)【要約】      （修正有）【課題】リードフレームに力が加えられた場合発生するハウジング破片屑に関する問題を改善するキャリア構造物を提供する。【解決手段】ＬＥＤを担持するように構成されたキャリア構造物は、ハウジング１２０及びリードフレーム１１０を含み、ハウジングは凹部１２０ａを有し、リードフレームは、メインボードスルーホール１１２ａを有するメインボード部１１２と、メインボード部からメインボードスルーホール内に延在する少なくとも２つの挿入部１１４、ＬＥＤに電気的に接続されるように構成された２つの電極部１１６とを含み、ハウジングは、少なくとも２つの挿入部の上に、少なくとも２つの挿入部がハウジング内に挿入された状態で配置されていて、挿入部はハウジングの支持体として機能する。【選択図】図１Ａ
2014229899.tif 000002
【特許請求の範囲】
【請求項１】
発光ダイオード（ＬＥＤ）を担持するように構成されたキャリア構造物であって、
凹部を有するハウジングと、
リードフレームと、を備え、前記リードフレームが、
メインボードスルーホールを有するメインボード部と、
前記メインボード部から前記メインボードスルーホール内に延在する少なくとも２つの挿入部とを含み、前記ハウジングが、前記少なくとも２つの挿入部の上に、前記少なくとも２つの挿入部が前記ハウジング内に挿入された状態で配置されており、前記リードフレームが、
前記ＬＥＤに電気的に接続されるように構成された２つの電極部を含み、前記ハウジングの前記凹部が前記電極部を露出させ、前記電極部の各々が、前記ハウジングの外側に延在するそれぞれの突出サブ部を有する、キャリア構造物。
【請求項２】
前記少なくとも２つの挿入部が、第１挿入部及び第２挿入部を含み、前記２つの電極部が、第１電極部及び第２電極部を含み、前記第１電極部の前記それぞれの突出サブ部が第１突出サブ部を含み、前記第２電極部の前記それぞれの突出サブ部が第２突出サブ部を含み、前記第１突出サブ部、前記第１挿入部、前記第２突出サブ部、及び前記第２挿入部が時計回り方向に配置されている、請求項１に記載のキャリア構造物。
【請求項３】
前記ハウジングと前記電極部とが複合質量中心を有し、前記挿入部を連結している基準線が、前記質量中心の直接投射を、前記メインボード部により画成された面上で横断している請求項１又は２に記載のキャリア構造物。
【請求項４】
前記ハウジングが、底部、及び、前記底部に接続された第２側壁を含み、前記リードフレームの前記電極部が前記ハウジングの前記底部に埋め込まれており、前記ハウジングの前記底部及び前記第２側壁が前記凹部を画成し、前記凹部が、その内部に前記ＬＥＤを受け入れるように構成されており、前記電極部の一方が、前記ＬＥＤに面したキャリアサブ部を含み、前記ハウジングの前記第２側壁が前記キャリアサブ部に対して垂直の方向に突出し、且つ、前記挿入部の一方を少なくとも部分的に覆っている、請求項１から３のいずれか１項に記載のキャリア構造物。
【請求項５】
前記挿入部の少なくとも一方が挿入スルーホールを含み、且つ、前記ハウジングが前記挿入スルーホール内に埋め込まれている請求項１から４のいずれか１項に記載のキャリア構造物。
【請求項６】
前記挿入部の少なくとも一方が粗面を含み、且つ、前記ハウジングの隣接面が前記挿入部の前記少なくとも一方の前記粗面にほぼ一致している請求項１から４のいずれか１項に記載のキャリア構造物。
【請求項７】
前記挿入部の少なくとも一方が挿入角部を含み、且つ、前記挿入角部が前記ハウジング内に埋め込まれている請求項１から４のいずれか１項に記載のキャリア構造物。
【請求項８】
前記挿入部の少なくとも一方が曲りサブ部を含み、前記曲りサブ部が前記凹部の開口部に向う方向にほぼ延在し、且つ前記ハウジング内に埋め込まれている請求項１から４のいずれか１項に記載のキャリア構造物。
【請求項９】
前記電極部と前記メインボード部とが互いに分離され且つ電気的に絶縁されており、前記電極部の少なくとも一方のそれぞれの突出サブ部が検査信号を受信するように構成されている請求項１から８のいずれか１項に記載のキャリア構造物。
【請求項１０】
前記電極部の少なくとも一方が、さらに、前記突出サブ部に連結されたキャリアサブ部を含み、前記ハウジングが前記キャリアサブ部を取り囲み、且つ前記キャリアサブ部を露出させている請求項９に記載のキャリア構造物。
【請求項１１】
照明装置であって、
発光ダイオード（ＬＥＤ）と、
凹部を有するハウジングと、
リードフレームとを備え、前記リードフレームが、
前記ハウジング内に延在する少なくとも２つの挿入部と、
前記ＬＥＤに電気的に接続された２つの電極部とを含み、前記ハウジングの前記凹部が前記電極部を露出させ、前記電極部の各々が、前記ハウジングの外側に延在するそれぞれの突出サブ部を有する、照明装置。
【請求項１２】
前記少なくとも２つの挿入部が、第１挿入部及び第２挿入部を含み、前記２つの電極部が、第１電極部及び第２電極部を含み、前記第１電極部の前記それぞれの突出サブ部が第１突出サブ部を含み、前記第２電極部の前記それぞれの突出サブ部が第２突出サブ部を含み、前記第１突出サブ部、前記第１挿入部、前記第２突出サブ部、及び、前記第２挿入部が時計回り方向に配置されている、請求項１１に記載の照明装置。
【請求項１３】
前記ハウジングと前記電極部とが複合質量中心を有し、前記挿入部を連結している基準線が、前記質量中心の直接投射を、メインボード部により画成された面上で横断している請求項１１又は１２に記載の照明装置。
【請求項１４】
前記ハウジングが、底部、及び、前記底部に接続された第２側壁を含み、前記リードフレームの前記電極部が前記ハウジングの前記底部に埋め込まれており、前記ハウジングの前記底部及び前記第２側壁が前記凹部を画成し、前記ＬＥＤが前記凹部内に配置され、前記電極部の一方が、前記ＬＥＤに面したキャリアサブ部を含み、前記ハウジングの前記第２側壁が前記キャリアサブ部に対して垂直の方向に突出し、且つ、前記挿入部の一方を少なくとも部分的に覆っている、請求項１１から１３のいずれか１項に記載の照明装置。
【請求項１５】
前記挿入部の少なくとも一方が挿入スルーホールを含み、且つ、前記ハウジングが前記挿入スルーホール内に埋め込まれている請求項１１から１４のいずれか１項に記載の照明装置。
【請求項１６】
前記挿入部の少なくとも一方が粗面を含み、且つ、前記ハウジングの隣接面が前記挿入部の前記少なくとも一方の前記粗面にほぼ一致している請求項１１から１４のいずれか１項に記載の照明装置。
【請求項１７】
前記挿入部の少なくとも一方が挿入角部を含み、且つ、前記挿入角部が前記ハウジング内に埋め込まれている請求項１１から１４のいずれか１項に記載の照明装置。
【請求項１８】
前記挿入部の少なくとも一方が曲りサブ部を含み、前記曲りサブ部が前記凹部の開口部に向う方向にほぼ延在し、且つ前記ハウジング内に埋め込まれている請求項１１から１４のいずれか１項に記載の照明装置。
【請求項１９】
前記電極部の少なくとも一方の突出サブ部が検査信号を受信するように構成されている請求項１１から１８のいずれか１項に記載の照明装置。
【請求項２０】
前記電極部の少なくとも一方が、さらに、前記突出サブ部に連結されたキャリアサブ部を含み、前記ハウジングが前記キャリアサブ部を取り囲み、且つ前記キャリアサブ部を露出させている請求項１９に記載の照明装置。
【発明の詳細な説明】
【技術分野】
【０００１】
関連特許出願の相互参照  本開示は、２０１３年５月２７日に出願された、台湾特許出願第１０２１１８６４６号の優先権を主張し、この特許出願の全体を参照により本明細書に組み込む。
【０００２】
本開示は、キャリア構造物及び照明装置に関し、より詳細には、破片屑に関する問題を改善するキャリア構造物、及び、破片屑をより生じにくい照明装置に関する。
【背景技術】
【０００３】
発光ダイオード（ＬＥＤ）は、耐用年数が長く、小型で耐衝撃性が高く、発熱が少なく且つ消費電力が低い、などの多くの利点を有する。従って、ＬＥＤは、表示器及び様々なタイプの機器の光源としてだけでなく家庭用電化製品も含む用途において広く用いられている。近年、多色ＬＥＤ及び高輝度ＬＥＤの開発が進歩し、大型の屋外ディスプレイパネル、交通信号、及び、関連分野でのＬＥＤの使用が可能になっている。将来、ＬＥＤが省エネルギーで環境への負担が少ない特徴を備えた主力光源となる可能性がある。ＬＥＤの信頼性を高めるために、ＬＥＤは、一般的に、製造プロセス中に耐久性照明装置としてパッケージングされる。
【０００４】
慣用的な照明装置の製造プロセスにおいて、１以上のＬＥＤがハウジング及びリードフレームを含むキャリア構造物に取り付けられる。次いで、その他のステップ、例えば、ワイヤボンディング及びカプセル化が実行される。最後に、ハウジング及び１以上のＬＥＤをリードフレームから分離して、照明装置を形成する。ハウジング及び１又は２以上のＬＥＤをリードフレームから分離するプロセス中に、リードフレームに力が加えられた場合のリードフレームの変形により、リードフレーム上に配置されたハウジング及び１以上のＬＥＤが落下する場合がある。詳細には、リードフレームとハウジングとの間の大きな摩擦が分離プロセス中に生じる場合があり、リードフレームがハウジングの縁を引っ掻いて損傷を生じることもしばしばある。その結果、ハウジングの破片屑が照明装置上に落下する場合があり、照明装置の光学検査に悪影響を及ぼし、製造プロセスを円滑でなくする。
【発明の概要】
【発明が解決しようとする課題】
【０００５】
本開示は、先行技術に関連する破片屑に関する問題を改善するキャリア構造物を提供する。
【０００６】
本開示は、破片屑が落下し難く、且つその製造プロセスが円滑に進行する照明装置を提供する。
【課題を解決するための手段】
【０００７】
一態様によれば、ＬＥＤを担持するように構成されたキャリア構造物が、ハウジングと、リードフレームとを含み得る。前記ハウジングは凹部を含み得る。前記リードフレームは、メインボードスルーホールを有するメインボード部と、前記メインボード部から前記メインボードスルーホール内に延在する少なくとも２つの挿入部と、前記ＬＥＤに電気的に接続されるように構成された２つの電極部とを含み得る。前記ハウジングは、前記少なくとも２つの挿入部の上に、前記少なくとも２つの挿入部が前記ハウジング内に挿入された状態で配置されている。前記ハウジングの前記凹部は前記電極部を露出させ得る。前記電極部の各々が、前記ハウジングの外側に延在するそれぞれの突出サブ部を有し得る。
【０００８】
幾つかの実施形態において、前記少なくとも２つの挿入部は、第１の挿入部及び第２の挿入部を含み得る。前記２つの電極部は、第１の電極部及び第２の電極部を含み得る。前記第１電極部の前記それぞれの突出サブ部が第１の突出サブ部を含み得る。前記第２電極部の前記それぞれの突出サブ部が第２の突出サブ部を含み得る。前記第１突出サブ部、第１挿入部、前記第２突出サブ部、及び、前記第２挿入部が、時計回り方向に配置され得る。
【０００９】
幾つかの実施形態において、前記ハウジングは、互いに対向し且つ平行な第１の側壁及び第２の側壁を含み得る。前記ハウジングの第１側壁は第１挿入部及び第１電極部を覆い得る。前記ハウジングの第２側壁は前記第２挿入部及び前記第２電極部を覆い得る。
【００１０】
幾つかの実施形態において、前記ハウジングは、互いに対向し且つ平行な第１の側壁及び第２の側壁を含み得る。前記ハウジングは、さらに、互いに対向し且つ平行な第３の側壁及び第４の側壁を含み得る。前記第３側壁は、前記第１側壁と第２側壁とを接続し、また、前記第４側壁も、前記第１側壁と第２側壁とを接続している。前記ハウジングの前記第１側壁は前記第１電極部を覆い得る。前記ハウジングの前記第３側壁は前記第１挿入部を覆い得る。前記ハウジングの前記第２側壁は前記第２電極部を覆い得る。前記ハウジングの前記第４側壁は、前記第４電極部を覆い得る。
【００１１】
幾つかの実施形態において、前記第１挿入部と前記第２挿入部とは、前記ハウジングの前記第１側壁に対して平行でない基準線を形成し得る。
【００１２】
幾つかの実施形態において、前記基準線は前記ハウジングの前記第１側壁に対して垂直であり得る。
【００１３】
幾つかの実施形態において、前記第１挿入部と前記第２挿入部とは、前記ハウジングの前記第１側壁に対して平行である基準線を形成し得る。
【００１４】
幾つかの実施形態において、前記ハウジングと前記電極部とが複合質量中心を有し得る。前記挿入部を連結している基準線が、前記質量中心の直接投射を、前記メインボード部により画成された面上で横断し得る。
【００１５】
幾つかの実施形態において、前記ハウジングは、底部、及び、前記底部に接続された第２の側壁を含み得る。前記リードフレームの前記電極部は前記ハウジングの前記底部に埋め込まれ得る。前記ハウジングの前記底部及び前記第２側壁が前記凹部を画成し得る。前記凹部は、その内部に前記ＬＥＤを受け入れるように構成され得る。前記電極部の一方は、前記ＬＥＤに面したキャリアサブ部を含み得る。前記ハウジングの前記第２側壁は、前記キャリアサブ部に対して垂直の方向に突出し、且つ、前記挿入部の一方を少なくとも部分的に覆い得る。
【００１６】
幾つかの実施形態において、前記挿入部の少なくとも一方が挿入スルーホールを含むことができる、且つ、前記挿入スルーホールは前記ハウジング内に埋め込まれ得る。
【００１７】
幾つかの実施形態において、前記挿入部の少なくとも一方が粗面を含むことができ、且つ、前記ハウジングの隣接面は前記挿入部の前記少なくとも一方の前記粗面にほぼ一致し得る。
【００１８】
幾つかの実施形態において、前記挿入部の少なくとも一方が挿入角部を含むことができ、且つ、前記挿入角部は前記ハウジング内に埋め込まれ得る。
【００１９】
幾つかの実施形態において、前記挿入部の少なくとも一方が曲りサブ部を含むことができ、前記曲りサブ部は、前記凹部の開口部に向う方向にほぼ延在することができ、且つ、前記ハウジング内に埋め込まれ得る。
【００２０】
幾つかの実施形態において、前記電極部と前記メインボード部とは分離され且つ互いに電気的に絶縁され得る。前記電極部の少なくとも一方の突出サブ部は、検査信号を受信するように構成され得る。
【００２１】
幾つかの実施形態において、前記電極部の少なくとも一方が、さらに、前記突出サブ部に接続されたキャリアサブ部を含み得る。前記ハウジングは前記キャリアサブ部を取り囲み、且つ前記キャリアサブ部を露出させ得る。
【００２２】
別の態様によれば、照明装置が、ＬＥＤと、凹部を有するハウジングと、リードフレームとを含み得る。前記リードフレームは、前記ハウジング内に延在する少なくとも２つの挿入部と、前記ＬＥＤに電気的に接続された２つの電極部とを含み得る。前記ハウジングの前記凹部は前記電極部を露出させ得る。前記電極部の各々が、前記ハウジングの外側に延在するそれぞれの突出サブ部を有し得る。
【００２３】
幾つかの実施形態において、前記少なくとも２つの挿入部は、第１の挿入部及び第２の挿入部を含み得る。前記２つの電極部は、第１の電極部及び第２の電極部を含み得る。前記第１電極部の前記それぞれの突出サブ部は第１の突出サブ部を含み得る。前記第２電極部の前記それぞれの突出サブ部は第２の突出サブ部を含み得る。前記第１突出サブ部、前記第１挿入部、前記第２突出サブ部、及び、前記第２挿入部が時計回り方向に配置され得る。
【００２４】
幾つかの実施形態において、前記ハウジングと前記電極部とが複合質量中心を有し得る。前記挿入部を連結している基準線が、前記質量中心の直接投射を、前記メインボード部により画成された面上で横断し得る。
【００２５】
幾つかの実施形態において、前記ハウジングは、底部、及び、前記底部に連結された第２の側壁を含み得る。前記リードフレームの前記電極部が前記ハウジングの前記底部に埋め込まれ得る。前記ハウジングの前記底部及び前記第２側壁が前記凹部を画成し得る。前記ＬＥＤは前記凹部内に配置され得る。前記電極部の一方が、前記ＬＥＤに面したキャリアサブ部を含み得る。前記ハウジングの前記第２側壁が、前記キャリアサブ部に対して垂直の方向に突出することができ、且つ、前記挿入部の一方を少なくとも部分的に覆い得る。
【００２６】
幾つかの実施形態において、前記挿入部の少なくとも一方が挿入スルーホールを含むことができ、且つ、前記挿入スルーホールは前記ハウジング内に埋め込まれ得る。
【００２７】
幾つかの実施形態において前記挿入部の少なくとも一方が粗面を含むことができ、且つ、前記ハウジングは前記挿入部の前記少なくとも一方の前記粗面を埋め込む。
【００２８】
幾つかの実施形態において、前記挿入部の少なくとも一方が挿入角部を含むことができ、且つ、前記挿入角部は前記ハウジング内に埋め込まれ得る。
【００２９】
幾つかの実施形態において、前記挿入部の少なくとも一方が曲りサブ部を含むことができ、前記曲りサブ部は、前記凹部の開口部に向う方向にほぼ延在することができ、且つ、前記ハウジング内に埋め込まれ得る。
【００３０】
幾つかの実施形態において、前記電極部の少なくとも一方の突出サブ部が、検査信号を受信するように構成され得る。
【００３１】
幾つかの実施形態において、前記電極部の少なくとも一方が、さらに、前記突出サブ部に連結されたキャリアサブ部を含み得る。前記ハウジングは、前記キャリアサブ部を取り囲み、且つ前記キャリアサブ部を露出させ得る。
【００３２】
以下に、幾つかの実施形態を、本開示の目的、技術的特徴、及び、利点の、より良好な理解を補助するために、添付図面を参照しつつ記載する。
【００３３】
添付図面は、本開示がさらに理解されるために含まれ、本開示に組み込まれて本開示の一部を構成する。図面は本開示の実施形態を示し、詳細な説明と共に、本開示の原理を説明するように機能する。図面が必ずしも等尺でないことが理解されよう。これは、幾つかの部品が、本開示の概念を明確に示すために実際の実施における寸法以外の比率で示される場合があるためである。
【図面の簡単な説明】
【００３４】
【図１】図１Ａ〜図１Ｆの各々は、本開示の一実施形態による照明装置の製造プロセスのそれぞれのステップの上面図である。
【００３５】
【図２】図２Ａ〜図２Ｆの各々は、本開示の実施形態による照明装置の製造プロセスのそれぞれのステップの断面図である。
【００３６】
【図３】図３は、本開示の一実施形態によるキャリア構造物の上面図である。
【００３７】
【図４】図４は、本開示の別の実施形態によるキャリア構造物の上面図である。
【００３８】
【図５】図５は、本開示のさらに別の実施形態によるキャリア構造物の上面図である。
【００３９】
【図６Ａ】図６Ａは、本開示の一実施形態によるキャリア構造物の上面図である。
【００４０】
【図６Ｂ】図６Ｂは、図６Ａのキャリア構造物の線ＢＢ'に沿った断面図である。
【００４１】
【図７Ａ】図７Ａは、本開示の一実施形態によるキャリア構造物の上面図である。
【００４２】
【図７Ｂ】図７Ｂは、図７Ａのキャリア構造物の線ＣＣ'に沿った断面図である。
【００４３】
【図８】図８は、本開示の一実施形態によるキャリア構造物の上面図である。
【００４４】
【図９】図９は、本開示の一実施形態によるキャリア構造物の断面図である。
【００４５】
【図１０】図１０は、本開示の一実施形態によるキャリア構造物の断面図である。
【００４６】
【図１１】図１１は、本開示による製造プロセスに従って図３のキャリア構造物を用いて製造された照明装置の図である。
【００４７】
【図１２】図１２は、本開示による製造プロセスに従って図４のキャリア構造物を用いて製造された照明装置の図である。
【００４８】
【図１３】図１３は、本開示による製造プロセスに従って図５のキャリア構造物を用いて製造された照明装置の図である。
【００４９】
【図１４】図１４Ａ及び図１４Ｂは、本開示による製造プロセスに従って、それぞれ図６Ａ及び図６Ｂのキャリア構造物を用いて製造された照明装置の図である。
【００５０】
【図１５】図１５Ａ及び図１５Ｂは、本開示による製造プロセスに従って、それぞれ図７Ａ及び図７Ｂのキャリア構造物を用いて製造された照明装置の図である。
【００５１】
【図１６】図１６は、本開示による製造プロセスに従って図８のキャリア構造物を用いて製造された照明装置の図である。
【００５２】
【図１７】図１７は、本開示による製造プロセスに従って図９のキャリア構造物を用いて製造された照明装置の図である。
【００５３】
【図１８】図１８は、本開示による製造プロセスに従って図１０のキャリア構造物を用いて製造された照明装置の図である。
【発明を実施するための形態】
【００５４】
図１Ａ〜図１Ｆは、本開示の一実施形態による照明装置の製造プロセスのそれぞれのステップの上面図である。図２Ａ〜図２Ｆは、本開示の一実施形態による照明装置の製造プロセスのそれぞれのステップの断面図である。詳細には、図２Ａ〜図２Ｆは、それぞれ、図１Ａ〜図１Ｆの線ＡＡ'に沿った断面に対応している。図１Ａ及び図２Ａを参照すると、キャリア構造物１００が、１以上のＬＥＤを担持するために設けられている。キャリア構造物１００は、リードフレーム１１０及びハウジング１２０を含む。ハウジング１２０は凹状部１２０ａを含む。リードフレーム１１０は、メインボードスルーホール１１２ａを有するメインボード部１１２を含む。また、リードフレーム１１０は、少なくとも２つの挿入部１１４を含み、挿入部１１４はメインボード部１１２に接続されており、且つ、メインボードスルーホール１１２ａ内に延在している。リードフレーム１１０は、さらに、２つの電極部１１６（１１６Ａ及び１１６Ｂ）を含み、これらの電極部は、メインボードスルーホール１１２ａ内に配置され、且つ、１又は２以上のＬＥＤに電気的に接続されるように構成されている。
【００５５】
ハウジング１２０が、挿入部１１４上に、且つ、メインボードスルーホール１１２ａ内に配置されている。特には、図２Ａに示されているように、一実施形態において、挿入部１１４は、ハウジング１２０の支持体（サポート）として機能するためにハウジング１２０内に延在している。一実施形態において、挿入部１１４がハウジング１２０内に延在する長さＷが、挿入部１１４の厚さＴの約２．５倍である。この特徴は、挿入部１１４が、より良好なサポートを提供することを可能にする。本開示の範囲が、本明細書中に記載される実施形態に限定されないことに留意されたい。
【００５６】
一実施形態において、リードフレーム１１０のメインボード部１１２、挿入部１１４、及び、２つの電極部１１６は、同一の導電性ボードからつくられ得る。従って、メインボード部１１２、挿入部１１４、及び、２つの電極部１１６は、同一の材料（例えば、適切な導電材料）からつくられ得る。メインボード部１１２、挿入部１１４、及び、２つの電極部１１６は、同一面（例えば、図１Ａのページの面）上にあり得る。
【００５７】
ハウジング１２０が電極部１１６を露出させている。詳細には、図１Ａに示されているように、一実施形態において、各電極部１１６Ａ（１１６Ｂ）は、それぞれ、検査信号の入力のために構成された突出サブ部（ｐｒｏｔｒｕｓｉｏｎ  ｓｕｂ−ｐｏｒｔｉｏｎ）１１６ａ（１１６ｃ）、及び、１以上のＬＥＤのボンディングワイヤを担持し電気的に接続するために構成されたキャリアサブ部（ｃａｒｒｉｅｒ  ｓｕｂ−ｐｏｒｔｉｏｎ）１１６ｂ（１１６ｄ）を有する。ハウジング１２０はキャリアサブ部分１１６ｂ及び１１６ｄを取り囲んでいる。ハウジング１２０上の凹部１２０ａが、キャリアサブ部分１１６ｂ及び１１６ｄを露出させている。突出サブ部１１６ａ及び１１６ｃがハウジング１２０から突出し、且つ、ハウジング１２０により露出されている。特には、電極部１１６Ａ及び１１６Ｂの突出サブ部１１６ａ及び１１６ｃが、ハウジング１２０とメインボード部１１２との間に配置され、且つ、メインボード部１１２から分離されている。電極部１１６と挿入部１１４とは、互いに分離されている。すなわち、電極部１１６、及び、電極部１１６に電気的に接続されるのに適した１以上のＬＥＤは、メインボード部１１２及び挿入部１１４から電気的に絶縁されている。
【００５８】
一実施形態において、少なくとも２つの挿入部１１４が、第１の挿入部１１４Ａ及び第２の挿入部１１４Ｂを含む。２つの電極部１１６は、第１の電極部１１６Ａ及び第２の電極部１１６Ｂを含む。本開示の挿入部及び電極の個数及び配置の位置が、図１Ａ及び図２Ａに示されている個数及び位置に限定されないことに留意されたい。電極の個数及び配置の位置は、スルーホール内に配置されるべきＬＥＤの個数、及び、達成されるべき所望の光学的特徴に依存し得る。挿入部の個数及び配置の位置は、ハウジング１２０及び電極部１１６のサポートの安定性に依存し得る。一実施形態において、ハウジング１２０は、第１挿入部１１４Ａの一部及び第２挿入部１１４Ｂの一部を覆っている。詳細には、第１挿入部１１４Ａ及び第２挿入部１１４Ｂの各々が、それぞれ、２つの対向端を含む。第１挿入部１１４Ａ及び第２挿入部１１４Ｂの各々の一端が、メインボード部１１２に接触し、且つ、ハウジング１２０の外側に露出している。第１挿入部１１４Ａ及び第２挿入部１１４Ｂの各々の他端は、ハウジング１２０内に埋め込まれ、且つ、ハウジング１２０により覆われている。
【００５９】
一実施形態において、ハウジング１２０は、互いに対向し且つ平行な、対応する第１の側壁１２２及び第２の側壁１２４を含む。また、ハウジングは、第１側壁１２２と第２側壁１２４とを連結している第３の側壁１２６、及び、第３側壁１２６に対向し、且つ、第１側壁１２２と第２側壁１２４とを連結している第４の側壁１２８、並びに、全ての側壁に連結している底部１２９も含む。しかし、本開示のハウジングの側壁の個数が、本明細書中に記載されている個数に限定されないことに留意されたい。加えて、ハウジングの全体形状は、矩形である必要はなく、実際の実施の要求条件に対応し得る。その他の幾つかの実施形態において、ハウジング１２０の凹部１２０ａ内に、反射層を、本開示のキャリア構造物を用いる照明装置の光学的特性を高めるために随意に配置し得る。
【００６０】
一実施形態において、リードフレーム１１０の電極部１１６が底部１２９内に埋め込まれている。ハウジング１２０の底部１２９、第１側壁１２２、第２側壁１２４、及び、第３側壁１２６が、凹部１２０ａを画成している。図２Ａに示されているように、１以上のＬＥＤを凹部１２０ａ内に配置することができ、電極部１１６の一方（例えば電極部１１６Ｂ）が、１以上のＬＥＤに面し得るキャリアサブ部１１６ｄを含む。ハウジング１２０の第２側壁１２４が、キャリアサブ部１１６ｄに対して垂直の方向Ｄに突出しており、且つ、挿入部１１４の一部（例えば、第２挿入部１１４Ｂ）を覆っている。
【００６１】
一実施形態において、その上面図において（例えば、メインボード部１１２に対して垂直の方向から見ると）、第１突出サブ部１１６ａ、第１挿入部１１４Ａ、第２突出サブ部１１６ｃ、第２挿入部１１４Ｂは、時計回り方向に配置され得る。すなわち、一実施形態において、ハウジング１２０の第１側壁１２２は、第１挿入部１１４Ａ及び第１突出サブ部１１６ａが属している第１電極部１１６Ａを覆い得る。ハウジング１２０の第２側壁１２４は、第２挿入部１１４Ｂ及び第１突出サブ部１１６ｃが属している第２電極部１１６Ｂを覆い得る。すなわち、ハウジング１２０により覆われている第１挿入部１１４Ａの一部と第１電極部１１６Ａの一部とは同一の側にあり得る。そしてまた、ハウジング１２０により覆われている第２挿入部１１４Ｂの一部と第２電極部１１６Ｂの一部とが同一の側にあり得る。電極とそれぞれの挿入部とが同一の側にある場合、挿入部１１４により提供されるハウジング１２０及び電極部１１６のサポートが、かなり増強される。
【００６２】
さらに、一実施形態において、第１挿入部１１４Ａ及び第２挿入部１１４Ｂが真直な基準線Ｌ１を形成し得る。より詳細には、本開示において、基準線Ｌ１とは、ハウジング１２０により覆われた第１挿入部１１４Ａの一部、及び、ハウジング１２０により覆われた第２挿入部１１４Ｂの一部により形成された真直線のことである。基準線Ｌ１は、ハウジング１２０の第１側壁１２２に対して平行である必要はない。すなわち、一実施形態において、第１挿入部１１４Ａと第２挿入部１１４Ｂとは対角的に配置され得る。しかし、本開示の実施形態が、本明細書中に記載された内容に限定されることはなく、挿入部１１４の配置の位置は、ハウジング１２０及び電極部１１６の良好なサポートが挿入部１１４により提供される限り、変更され得る。例えば、一実施形態において、２つの挿入部１１４Ａと挿入部１１４Ｂとを連結している基準線Ｌ１は、電極部１１６とハウジング１２０との複合質量中心の直接投射（ｄｉｒｅｃｔ  ｐｒｏｊｅｃｔｉｏｎ）を、メインボード部１１２により画成された面上で横断し得る。こうして、挿入部１１４は、ハウジング１２０及び電極部１１６を堅固に支持することができ、これにより、キャリア構造物１００を用いる照明装置の製造プロセスの進行をより円滑にする。
【００６３】
先に述べたように、挿入部１１４及び電極部１１６の配置の位置は、図１Ａに示された位置に限定されない。以下に、図３、図４及び図５に関して説明する。図３は、本開示の一実施形態によるキャリア構造物の上面図である。図３を参照すると、図３のキャリア構造物１００Ａは図１Ａのキャリア構造物１００に類似しており、従って、類似の部品には同一の参照番号を付してある。キャリア構造物１００Ａは、第１挿入部１１４Ａ及び第２挿入部１１４Ｂが、それぞれ第３側壁１２６及び第４側壁１２８により覆われており、第１側壁１２２及び第２側壁１２４により覆われていないという点で、キャリア構造物１００と異なる。
【００６４】
図４は、本開示の別の実施形態によるキャリア構造物の上面図である。図４を参照すると、図４のキャリア構造物１００Ｂは図３のキャリア構造物１００Ａに類似しており、従って、類似の部品には同一の参照番号を付してある。キャリア構造物１００Ｂは、第１挿入部１１４Ａ及び第２挿入部１１４Ｂにより形成されている基準線Ｌ１がハウジング１２０の第１側壁１２２に対して平行であるという点で、キャリア構造物１００Ａと異なる。図５は、本開示のさらに別の実施形態によるキャリア構造物の上面図である。図５を参照すると、図５のキャリア構造物１００Ｃは図１Ａのキャリア構造物１００に類似しており、従って、類似の部品には同一の参照番号を付してある。キャリア構造物１００Ｃは、第１挿入部１１４Ａ及び第２挿入部１１４Ｂにより形成されている基準線Ｌ１がハウジング１２０の第１側壁１２２に対して垂直であるという点で、キャリア構造物１００と異なる。
【００６５】
一実施形態において、支持ハウジング１２０、挿入部１１４以外の部品はハウジング１２０に接着される。こうして、製造プロセスにおけるその後のステップにおいて、挿入部１１４とメインボード部１１２とは、これらの部品が分離されているときに良好に分離することができ（例えば、部品除去中）、従って、プロセスの進行をより円滑にする。挿入部１１４とハウジング１２０との接着を促進するために、挿入部１１４の構造は、ニーズを満たすように特注設計であってよい。以下に、図６Ａ、図６Ｂ、図７Ａ、図７Ｂ、図８、図９、及び図１０に関して説明する。
【００６６】
図６Ａは、本開示の一実施形態によるキャリア構造物の上面図である。図６Ｂは、図６Ａのキャリア構造物の線ＢＢ'に沿った断面図である。図６Ａ及び図６Ｂを参照すると、図６Ａ及び図６Ｂのキャリア構造物１００Ｄは図１Ａのキャリア構造物１００に類似しており、従って、類似の部品には同一の参照番号を付してある。キャリア構造物１００Ｄは、挿入部１１４の各々が、それぞれ、１以上の挿入スルーホール１１４ａを含むという点においてキャリア構造物１００と異なる。図６Ｂに示されているように、ハウジング１２０の一部が挿入部１１４の挿入スルーホール１１４ａ内に埋め込まれている。すなわち、挿入スルーホール１１４ａは、挿入部１１４がハウジング１２０に接着されるためにハウジング１２０上で把持されることを可能にしている。従って、挿入部１１４とメインボード部１１２、及びハウジング１２０の両側との間の接着強度が増大される。これは、製造プロセスのその後のステップにおける、挿入部１１４とメインボード部１１２との分離をより円滑に進めることを可能にする。
【００６７】
図７Ａは、本開示の一実施形態によるキャリア構造物の上面図である。図７Ｂは、図７Ａのキャリア構造物の線ＣＣ'に沿った断面図である。図７Ａ及び図７Ｂを参照すると、図７Ａ及び図７Ｂのキャリア構造物１００Ｅは図１Ａのキャリア構造物１００に類似しており、従って、類似の部品には同一の参照番号を付してある。キャリア構造物１００Ｅは、挿入部１１４の各々が、それぞれ、粗面１１４ｂを含むという点においてキャリア構造物１００と異なる。挿入部１１４は、ハウジング１２０の隣接面（粗面１１４ｂ）が挿入部１１４の粗面１１４ｂにほぼ一致しているため、ハウジング１２０により良好に接着される。これにより、製造プロセスのその後のステップにおける、挿入部１１４とメインボード部１１２との分離がより円滑に進められることになる。
【００６８】
図８は、本開示の一実施形態によるキャリア構造物の上面図である。図８を参照すると、図８のキャリア構造物１００Ｆは図１Ａのキャリア構造物１００に類似しており、従って、類似の部品には同一の参照番号を付してある。キャリア構造物１００Ｆは、挿入部１１４の各々が、それぞれ、１以上の挿入角部（コーナ）１１４ｃを含むという点においてキャリア構造物１００と異なる。挿入部１１４は、挿入部１１４の挿入角部１１４ｃがハウジング１２０内に埋め込まれているため、ハウジング１２０に、より良好に接着される。これにより、製造プロセスのその後のステップにおける、挿入部１１４とメインボード部１１２との分離がより円滑に進められることになる。挿入部１１４の挿入角部１１４ｃ及びメインボードスルーホール１１２ａは、パンチングプロセスにより形成され得る。従って、キャリア構造物１００Ｆにおいて、リードフレーム１１０の挿入角部１１４ｃとメインボード部１１２とは同一面上にあり得る。しかし、本開示は、本明細書中に記載された内容に限定されない。その他の幾つかの実施形態において、挿入角部１１４ｃを、その他の適切な位置に配置し得る。図９を参照すると、図９は、本開示の一実施形態によるキャリア構造物の断面図である。図９のキャリア構造物１００Ｇは図２Ａのキャリア構造物１００に類似しており、従って、類似の部品には同一の参照番号を付してある。キャリア構造物１００Ｇにおいて、挿入角部１１４ｃは、ハウジング１２０内に挿入されるように凹部１２０ａの開口部に向かって方向Ｄ１にほぼ延在し得る。
【００６９】
図１０は、本開示の一実施形態によるキャリア構造物の断面図である。図１０を参照すると、図１０のキャリア構造物１００Ｈは図１Ａのキャリア構造物１００に類似しており、従って、類似の部品には同一の参照番号を付してある。キャリア構造物１００Ｈは、挿入部１１４の各々が、それぞれ、ハウジング１２０内に埋め込まれるように構成された曲りサブ部（ｂｅｎｄｉｎｇ  ｓｕｂ−ｐｏｒｔｉｏｎ）１１４ｄを含むという点においてキャリア構造物１００と異なる。詳細には、曲りサブ部１１４ｄは、ハウジング１２０内に埋め込まれるように凹部１２０ａの開口部に向かって方向Ｄ１にほぼ延在し得る。曲りサブ部１１４ｄの形状は、接着強度を高めるようにハウジング１２０上での把持を補助する。
【００７０】
図１Ｂ、図１Ｃ、図２Ｂ及び図２Ｃを参照すると、キャリア構造物１００が設けられた後、ＬＥＤ２００が電極部１１６に電気的に接続される。詳細には、図１Ｂ及び図２Ｂに示されているように、一実施形態において、ＬＥＤ２００を電極部１１６の一方に接着するために、チップボンディングプロセスを実行し得る。次いで、図１Ｃ及び図２Ｃに示されているように、ＬＥＤ２００を他方の電極部１１６にボンディングワイヤ３００を用いて電気的に接続するためにワイヤボンディングプロセスを実行し得る。しかし、本開示の範囲は、本明細書中に記載された内容に限定されない。その他の幾つかの実施形態において、ＬＥＤ２００は、その他の方法（例えば、フリップチップボンディング又はその他の適切な方法）により電極部１１６に電気的に接続され得る。
【００７１】
図１Ｄ及び図２Ｄを参照すると、カプセル化材料４００が、ＬＥＤ２００を覆うためにハウジング１２０に充填されている。カプセル化材料４００のタイプは、達成されるべき所望の光学特性（例えば、色）、及び、ＬＥＤ２００の特性に依存し得る。注目すべきことに、一実施形態において、キャリア構造物１００において、電極部１１６が挿入部１１４及びメインボード部１１２から電気的に絶縁されているため、ＬＥＤ２００の検査が部品除去（挿入部１１４とメインボード部１１２との分離）よりも前に行われ得る。特には、図１Ｅ及び図２Ｅに示されているように、ＬＥＤ２００の検査プロセスは、検査信号Ｉを突出サブ部１１６ａ及び突出サブ部１１６ｃ又は電極部１１６Ａ及び電極部１１６Ｂにそれぞれ入力するステップと、ＬＥＤ２００により放出された光の光学特性を測定するステップとを含み得る。すなわち、ＬＥＤ２００により放出された光の、カプセル化材料４００を横断した後の光学特性（例えば、色、輝度など）が特定の値の範囲内にあるかどうかを決定する。ＬＥＤ２００の光学特性の測定は、１以上の光検出器を用いて行われ得る。これにより、照明装置の製造プロセスがより円滑に進められる。
【００７２】
図１Ｆ及び図２Ｆを参照すると、本開示の照明装置１０００を形成するために、挿入部１１４とメインボード部１１２とが分離されている。詳細には、挿入部１１４がその両側においてメインボード部１１２に接着され、且つ、その両側においてハウジング１２０に接着された状態にあるとき、挿入部１１４をパンチングモールドによりメインボード部１１２から切り離し得る。特には、一実施形態において、挿入部１１４とメインボード部１１２とを分離するためにスタンピングプロセスを用い得る。しかし、本開示の範囲は、本明細書中に記載した内容に限定されない。その他の幾つかの実施形態において、挿入部１１４とメインボード部１１２とを分離するために、その他の方法（例えばレーザカッティング）を用い得る。挿入部１１４とメインボード部１１２との分離後、挿入部１１４、電極部１１６、ハウジング１２０、ＬＥＤ２００、結束ワイヤ３００及びカプセル化材料４００により、本開示の照明装置１０００が完成されることになる。
【００７３】
本開示のキャリア構造物１００と比較して、本開示の照明装置１０００は、さらに、電極部１１６に電気的に接続されたＬＥＤ２００、ボンディングワイヤ３００、及び、カプセル化材料４００を含むが、キャリア構造物１００のメインボード部１１２は含まない。従って、本開示の照明装置１０００の構造は、キャリア構造物１００に関する上記の説明、及び図１Ｅ及び図２Ｆを参照することにより明確に理解されよう。これらの説明は繰り返し記載しない。注目すべきことに、照明装置１０００において、挿入部１１４の少なくとも一部がハウジング１２０内に埋め込まれている。すなわち、照明装置１０００の挿入部１１４は、図１Ｆに示されているようにハウジング１２０の外側に部分的に露出される必要はない。その他の幾つかの実施形態において、照明装置１０００の挿入部１１４の一端は、照明装置１０００のハウジング１２０内に完全に埋め込まれるように、ハウジング１２０の対応する側壁と面一になるようにカットされ得る。
【００７４】
図１１は、本開示による製造プロセスに従って図３のキャリア構造物を用いて製造された照明装置の図である。図１２は、本開示による製造プロセスに従って図４のキャリア構造物を用いて製造された照明装置の図である。図１３は、本開示による製造プロセスに従って図５のキャリア構造物を用いて製造された照明装置の図である。図１４Ａ及び図１４Ｂは、本開示による製造プロセスに従って、それぞれ、図６Ａ及び図６Ｂのキャリア構造物を用いて製造された照明装置の図である。図１５Ａ及び図１５Ｂは、本開示による製造プロセスに従って、それぞれ、図７Ａ及び図７Ｂのキャリア構造物を用いて製造された照明装置の図である。図１６は、本開示による製造プロセスに従って図８のキャリア構造物を用いて製造された照明装置の図である。図１７は、本開示による製造プロセスに従って図９のキャリア構造物を用いて製造された照明装置の図である。図１８は、本開示による製造プロセスに従って図１０のキャリア構造物を用いて製造された照明装置の図である。
【００７５】
本開示のキャリア構造物１００Ａ〜１００Ｈと比較して、照明装置１０００Ａ〜１０００Ｈは、さらに、電極部１１６に電気的に接続されたＬＥＤ２００、ボンディングワイヤ３００、及び、カプセル化材料４００を含むが、キャリア構造物１００Ａ〜１００Ｈのメインボード部１１２は含まない。従って、本開示の照明装置１０００Ａ〜１０００Ｈの構造は、キャリア構造物１００Ａ〜１００Ｈに関する上記の説明、及び図１１〜図１８を参照することにより明確に理解されよう。これらの説明は繰り返し記載しない。
【００７６】
上記の内容に鑑みて、本開示の照明装置の製造プロセスの一実施形態によれば、部品の除去が、照明装置を形成するためにリードフレームの挿入部をメインボード部から分離することにより達成される。こうして、先行技術と比較して、本開示による部品除去中に、リードフレームとハウジングとの間の重大な摩擦が容易には生じない。従って、先行技術に関連する破片屑の問題が改善されることができ、これにより、照明装置の製造プロセスの進行をより円滑にする。さらに、本開示の実施形態のキャリア構造物において、挿入部がハウジング及び電極部を支持し、電極部がメインボード部から切り離され、挿入部から分離している。こうして、本開示の照明装置に検査前作業を実行し得る。付記
【００７７】
本開示によるキャリア構造物及び照明装置の実施形態は、本明細書中に記載された実施形態に限定されない。実際の設計及び実施は、本明細書中に記載された実施形態と異なり得る。当業者は、開示された実施形態に基づいて、様々な逸脱及び改良を行い得るが、これらの逸脱及び改良は、なお、本開示の範囲内にある。従って、本開示により発生する特許保護範囲は、以下に記載される特許請求の範囲により決定される。
【００７８】
上述の例示的な実施の記載において、説明のために、特定の個数、材料、構成及びその他の詳細を、特許請求の範囲に係る本開示をより良好に説明するために記載した。しかし、当業者には、請求項に記載された主題が本明細書中に記載された以外の様々な詳細を用いて実施され得ることが明らかであろう。その他の例では、公知の特徴を、例示的な実施の記載を明瞭化するために省略又は簡略化してある。
【００７９】
さらに、用語「例示的な」（"ｅｘｅｍｐｌａｒｙ"）は、本明細書において、例、事例、又は例示として機能することを示すために用いられている。「例示的な」として本明細書中に記載された態様又は設計はいずれも、必ずしもその他の態様又は設計よりも好ましく又は有利であると見なされるべきでない。むしろ、用語「例示的な」の使用は、概念及び技術を具体的に提示するためのものである。用語「技術」は、例えば、本明細書中に記載された文脈により示されているような、１以上のデバイス、装置、システム、方法、製品、及び／又はコンピュータ可読命令を示し得る。
【００８０】
本出願において用いられているように、用語「又は」（"ｏｒ"）は、排他的な「又は」ではなく、包括的な「又は」を意味することを意図されている。すなわち、別段の記載がない限り、或いは、文脈から明確でない限り、「ＸがＡ又はＢを用いる」は、自然な包括的置換のいずれをも意味することを意図される。すなわち、ＸがＡを用いる場合、若しくは、ＸがＢを用いる場合、又は、ＸがＡとＢの両方を用いる場合、これらの例のいずれの下においても、「ＸがＡ又はＢを用いる」が成立する。また、本出願及び添付の特許請求の範囲にて用いられる冠詞「１つの」（"ａ"）及び（"ａｎ"）は、別段の記載がない限り、或いは、単数形を示すことが文脈から明確でない限り、一般に、「１以上」（"ｏｎｅ  ｏｒ  ｍｏｒｅ"）を意味するものと解釈されるべきである。
【００８１】
本開示、及び、それに続く特許請求の範囲のために、用語「接続され」（"ｃｏｕｐｌｅｄ"）及び「連結され」（"ｃｏｎｎｅｃｔｅｄ"）が、様々な要素がどのように接続しているかを示すために用いられている場合がある。記載されたこのような様々な接続は、直接的又は間接的であり得る。
【符号の説明】
【００８２】
１００  キャリア構造物  １１０  リードフレーム  １１２  メインボード部  １１２ａ  メインボードスルーホール  １１４Ａ  挿入部  １１４Ｂ  挿入部  １１６Ａ  電極部  １１６Ｂ  電極部  １１６ａ  突出サブ部  １１６ｂ  キャリアサブ部  １１６ｃ  突出サブ部  １１６ｄ  キャリアサブ部  １２０  ハウジング  １２０ａ  凹部  １２２  第１の側壁  １２４  第２の側壁  １２６  第３の側壁  １２８  第４の側壁  １２９  ハウジングの底部  ２００  ＬＥＤ  ３００  ボンディングワイヤ  ４００  カプセル化材料  １０００  照明装置  Ｌ  基準線
【図１Ａ】
2014229899.tif 000003
【図１Ｂ】
2014229899.tif 000004
【図１Ｃ】
2014229899.tif 000005
【図１Ｄ】
2014229899.tif 000006
【図１Ｅ】
2014229899.tif 000007
【図１Ｆ】
2014229899.tif 000008
【図２Ａ】
2014229899.tif 000009
【図２Ｂ】
2014229899.tif 000010
【図２Ｃ】
2014229899.tif 000011
【図２Ｄ】
2014229899.tif 000012
【図２Ｅ】
2014229899.tif 000013
【図２Ｆ】
2014229899.tif 000014
【図３】
2014229899.tif 000015
【図４】
2014229899.tif 000016
【図５】
2014229899.tif 000017
【図６Ａ】
2014229899.tif 000018
【図６Ｂ】
2014229899.tif 000019
【図７Ａ】
2014229899.tif 000020
【図７Ｂ】
2014229899.tif 000021
【図８】
2014229899.tif 000022
【図９】
2014229899.tif 000023
【図１０】
2014229899.tif 000024
【図１１】
2014229899.tif 000025
【図１２】
2014229899.tif 000026
【図１３】
2014229899.tif 000027
【図１４Ａ】
2014229899.tif 000028
【図１４Ｂ】
2014229899.tif 000029
【図１５Ａ】
2014229899.tif 000030
【図１５Ｂ】
2014229899.tif 000031
【図１６】
2014229899.tif 000032
【図１７】
2014229899.tif 000033
【図１８】
2014229899.tif 000034
【外国語明細書】
2014229899000001.pdf